(57)【特許請求の範囲】
【請求項１】
ソース装置と、前記ソース装置とＨＤＭＩ規格の通信により接続可能なリンク装置と、で構成されたシステムにおいて、
前記ソース装置は、
予め設定された移行条件を検出した場合に前記ソース装置の電力消費量を低減させるための省電力モードに移行するモード移行制御部と、
前記省電力モードに移行する場合に、前記リンク装置を省電力モードに移行させる命令を前記ＨＤＭＩ規格の通信を通じて送信させるコマンド送信命令部とを有し、
前記リンク装置は、
同リンク装置が他の装置との通信を行っている状態を検出する通信状態検出部と、
前記コマンド送信命令部からの命令に基づいて、同リンク装置を省電力モードに移行させるモード移行実行部と、を有し、
前記モード移行実行部は、前記通信状態検出部の検出結果が前記他の装置との通信を行っているものである場合、前記リンク装置を省電力モードに移行させる命令を受信しても、同リンク装置を前記省電力モードに移行させない、ことを特徴とする通信システム。
【請求項２】
前記モード移行実行部は、前記リンク装置を省電力モードに移行させる命令を受信後、前記通信状態検出部の検出結果が前記他の装置との通信を行っているものから、前記他の装置との通信を行っていないものに変化した場合、同リンク装置を前記省電力モードに移行させる、ことを特徴とする請求項１に記載の通信システム。
【請求項３】
前記リンク装置は表示装置であって、
前記モード移行実行部が移行させる省電力モードは、前記表示装置に対して黒画面を表示させ、一定期間経過した後、待機モードに移行させることを特徴とする請求項１又は請求項２のいずれかに記載の通信システム。
【請求項４】
前記ソース装置は、前記リンク装置が他の装置と通信を行っているか否かを同リンク装置に問い合せる接続問合せ手段を有し、
前記接続問合せ手段は、前記問い合わせに応じた前記リンク装置からの返信により前記リンク装置が他の装置と通信を行っていないと判断した場合に、前記コマンド送信命令部に前記リンク装置を省電力モードに移行させる命令を送信させることを特徴とする請求項１から請求項３のいずれか一項に記載の通信システム。
【発明の詳細な説明】
【技術分野】
【０００１】
本発明は、所定データーを装置間で通信する通信システムに関し、特に、装置間でＨＤＭＩ規格の通信を行う通信システムに関する。
【背景技術】
【０００２】
従来、装置間の通信を行う規格としてＨＤＭＩ（High Definition Multimedia Interface）が知られている。このＨＤＭＩでは、映像及び音声データー、並びに制御コマンドを送信するためのインターフェース規格であり、この規格に準じたインターフェースを実装するソース装置とリンク装置との間でデーター及び制御コマンドを通信することができる。ここで、ソース装置とは、他の装置にデーターを送信する側の装置を意味する。また、リンク装置とは、ソース装置から所定のデーターを受信する側の装置を意味する。 
【０００３】
また、近年、限りあるエネルギーを有効活用するため、通常モードと消費電力を低減させるモード（以下、省電力モードと記載する）とを切換える装置が知られている。更に、上記したＨＤＭＩを採用する装置においてリンク装置側がこの省電力モードに移行した場合に、ソース装置が省電力モードに追従する技術が開示されている（例えば、特許文献１−３参照。）。
【先行技術文献】
【特許文献】
【０００４】
【特許文献１】特開２００９−１６８９７号公報
【特許文献２】特開２００８−１４５６７９号公報
【特許文献３】特開２００９−１００３２９号公報
【発明の概要】
【発明が解決しようとする課題】
【０００５】
従来のＨＤＭＩ通信を用いた省電力モードへの移行は、リンク装置の省電力モードの移行に応じてソース装置が省電力モードに移行するものであり、その逆は存在しなかった。
【０００６】
本発明は、上記課題にかんがみてなされたもので、ソース装置が省電力モードに移行した場合に、所定条件下でリンク装置が省電力モードに移行する通信システムの提供を目的とする。
【課題を解決するための手段】
【０００７】
上記課題を解決するために、本発明では、予め設定された移行条件を検出した場合は、電力消費量を低減させるための省電力モードに移行するソース装置と、前記ソース装置とＨＤＭＩ規格の通信により接続可能なリンク装置と、で構成されたシステムにおいて、前記ソース装置は、前記省電力モードに移行した場合に、前記ＨＤＭＩ規格の通信を通じて、前記リンク装置を省電力モードに移行させる命令を送信する命令送信手段を有し、前記リンク装置は、前記命令を受信した場合に、同リンク装置を省電力モードに移行させる設定制御手段を有する構成としてある。
【０００８】
上記のように構成された発明では、ソース装置は、省電力モードに移行するための条件が予め設定されており、この移行条件を検出した場合は省電力モードに移行する。また、ソース装置は、省電力モードに移行した場合に、命令送信手段がＨＤＭＩ規格の通信を通じてリンク装置を省電力モードに移行させる命令を送信する。また、リンク装置は、この命令を受信すると、設定制御手段が同リンク装置を省電力モードに移行させる。
【０００９】
そのため、ソース装置が省電力モードに移行した場合に、リンク装置を省電力モードに移行させることが可能となる。
ここで、省電力モードとは装置の消費電力を削減するために実行される処理であれば、どのようなものでもよい。例えば、電源供給の遮断の他、装置がバックライトを用いて所定映像を表示するものであれば、バックライトの発光を抑制することも含まれる。
【００１０】
そこで、リンク装置による省電力モードの一例として、前記リンク装置は表示装置であって、前記命令送信手段が移行させる省電力モードは、前記表示装置に対して黒画面を表示させ、一定期間経過した後、待機モードに移行させる構成としてもよい。
リンク装置がソース装置の制御により省電力モードに移行する際、場合によっては他の装置と通信を確立している場合も想定される。そのため、上記のように構成された発明では、所定期間は、通信に影響を与えない画面の輝度を低下させた後、各部の駆動を停止させて消費電力を少なくする待機モードに移行させる構成とすることで、他の装置との通信に影響を与えることなく本発明を実現することができる。
【００１１】
そして、リンク装置により実行される省電力モードの一例として、前記設定制御手段は、前記リンク装置が前記ソース装置とは別の他の装置と通信を行っていない場合に、前記リンク装置を省電力モードに移行させる構成としてもよい。
上記のように構成された発明では、リンク装置が他の装置との間で通信を行なっている場合は、省電力モードへの移行を却下することで、リンク装置を適切に駆動させることができる。
【００１２】
さらに、通信システムにより実行される省電力モードの一例として、前記ソース装置は、前記リンク装置が他の装置と通信を行っているか否かを同リンク装置に問い合せる接続問合せ手段を有し、前記命令送信手段は、前記問い合わせに応じた返信により前記リンク装置が他の装置と通信を行っていないと判断した場合に、前記リンク装置を省電力モードに移行させる構成としてもよい。
【００１３】
また、本発明の他の局面として、前記リンク装置は表示装置であって、前記設定制御手段は、前記リンク装置が前記ソース装置とは別の他の装置と通信を行っていない場合に、前記リンク装置を省電力モードに移行させ、前記命令送信手段が移行させる省電力モードは、前記表示装置に対して黒画面を表示させ、一定期間経過した後、待機モードに移行させる構成としてもよい。
【発明の効果】
【００１４】
以上説明したように本発明によれば、ソース装置が省電力モードに移行した場合に、所定条件下でリンク装置を省電力モードに移行させることができる。
また本発明によれば、他の装置との通信に影響を与えることなく本発明を実現することができる。
そして本発明によれば、リンク装置が他の装置との間で通信を行なっている場合は、省電力モードへの移行を却下することで、リンク装置を適切に駆動させることができる。
【図面の簡単な説明】
【００１５】
【図１】通信システムの構成を説明するためのブロック図である。
【図２】通信システム１００における制御コマンドを用いた制御を説明するための図である。
【図３】システムコントローラー８２の機能を説明するための機能ブロックである。
【図４】省電力モード移行処理の流れを説明するためのフローチャートである。
【図５】通常モード復帰処理を説明するフローチャートである。
【図６】第２の実施形態にかかる省電力モード移行処理の流れを説明するためのフローチャートである。
【発明を実施するための形態】
【００１６】
以下、図を参照しつつ下記の順序に従って本発明の実施形態を説明する。
（１）第１の実施形態：
（２）第２の実施形態：
（３）その他の実施形態：
【００１７】
（１）第１の実施形態：
（１−１）発明の概要：
以下、図を参照して、この発明に係る通信システムを具体化した第１の実施の形態について説明する。図１は、通信システムの構成を説明するためのブロック図である。
第１の実施形態にて説明する通信システムは、ソース装置がメディアプレーヤー８０により構成され、リンク装置が表示装置９０により構成されている。また、メディアプレーヤー８０と表示装置９０とは、ＨＤＭＩ規格に準じたケーブル７０を介して接続され、メディアプレーヤー８０が再生するデーターを表示装置９０により映像又は音声として出力する。また、メディアプレーヤー８０は表示装置９０との間で、ケーブル７０を通じて制御コマンドを通信することにより、表示装置９０の駆動をコントロールすることができる。
【００１８】
図２は、通信システム１００における制御コマンドを用いた制御を説明するための図である。図２に示すように通信システム１００では、メディアプレーヤー８０が省電力モードに移行すると、表示装置９０に対して省電力モードに移行するようケーブル７０を通じて制御コマンドを送信する。そのため、表示装置９０は、この制御コマンドを受信し、省電力モードに移行する（以下、このような処理を省電力モード移行処理と記載する。）。  一方、メディアプレーヤー８０が省電力モードから復帰する場合は、メディアプレーヤー８０は表示装置９０に対して省電力モードを解除するようケーブルを通じて制御コマンドを送信する。そのため、表示装置９０は、この制御コマンドを受信し、通常モードに復帰する（以下、このような処理を通常モード復帰処理と記載する。）。
【００１９】
そのため、本実施形態にかかる通信システム１００では、ソース装置が省電力モードに移行するのに準じて、リンク装置を自動で省電力モードに移行させることができる。以下、本発明にかかるメディアプレーヤー８０、及び表示装置９０の構成を説明する。
【００２０】
（１−２）メディアプレーヤー８０の構成：
メディアプレーヤー８０は、メディア制御部８１、システムコントローラー８２、ＯＳＤ回路８３、ＨＤＭＩ送信部８４、操作入力Ｉ／Ｆ８５を備えて構成され、メディア制御部８１がメディアから読み出したデーターをＨＤＭＩ送信部８４を通じて表示装置９０に出力する。
【００２１】
メディア制御部８１は、ＢＤ（ブルーレイディスク）やＤＶＤ等のメディアに記憶されたデーターを光ピックアップ部により読取り、ＨＤＭＩ送信部８４を通じて表示装置９０に送信する。
【００２２】
ＨＤＭＩ送信部８４は、表示装置９０に実装されるＨＤＭＩ受信部９１（後述）との間でＨＤＭＩ規格に準じたデーターの送信を行うためのインタフェ−スであり、映像・音声データーを送信するとともに、制御コマンドをＨＤＭＩ受信部９１との間で通信する。また、本実施形態では制御コマンドとして、ＣＥＣ（Consumer Electronics Control）規格に準じた制御コマンドを用いる。この制御コマンドにより、メディアプレーヤー８０からは、ケーブル７０を通じて表示装置９０の駆動を制御することが可能となる。
【００２３】
システムコントローラー８２は、図示しないＣＰＵや、ＣＰＵを駆動させるためのプログラムやデーターが記憶されたＲＯＭ、及びＣＰＵのワークエリアとして作用するＲＡＭを備えて構成されている。また、システムコントローラー８２は、ユーザーが操作入力Ｉ／Ｆ８５を介して送信した制御信号により、メディアプレーヤー８０の駆動を制御する。なお、システムコントローラー８２と、メディアプレーヤー８０を構成する各部はバスを介して接続されており、このバスを介して制御が行われる。
【００２４】
図３は、システムコントローラー８２の機能を説明するための機能ブロックである。システムコントローラー８２は、ＲＯＭに記録されたプログラムにより、移行条件検出部６０、モード移行制御部６１、コマンド送信命令部６２、通信状態問合せ部６３の各機能を実現する。
【００２５】
移行条件検出部６０は、メディアプレーヤー８０が省電力モードに移行するための複数の移行条件を検出し、条件が検出されると以後省電力モード移行処理を開始させる機能を備える。ここで、移行条件とは、省電力モードに移行するための条件となるものであり、例えば、メディアプレーヤー８０に一定期間入力又は出力信号がない場合や、操作入力Ｉ／Ｆ８５に省電力モードに移行するための信号が入力される場合である。
【００２６】
モード移行制御部６１は、メディアプレーヤー８０を省電力モードに移行させる機能を備える。メディアプレーヤー８０における省電力モードは、例えば、図示しない電源回路からの電力の供給を停止しメディアプレーヤー８０を待機モードに移行させることで消費電力を低減させるモードである。そのため、モード移行制御部６１は、移行条件検出部６０から省電力モードに移行するよう命令を受けると、電源回路に対して特定部位への電力の供給を停止させる。そのため、モード移行制御部６１により、本発明の命令送信手段が実現される。
【００２７】
コマンド送信命令部６２は、ＨＤＭＩ送信部８４にＨＤＭＩ規格に準じた制御コマンドを通信させる機能を備える。コマンド送信命令部６２は、ＨＤＭＩ送信部８４にＣＥＣ（Consumer Electronics Control）規格に準じた制御コマンドを送信させるための制御を行う。また、コマンド送信命令部６２は、移行条件検出部６０が移行条件を検出することにより出力される命令に応じて、ＨＤＭＩ送信部８４に、表示装置９０を省電力モードに移行させるための制御コマンドを出力する。
【００２８】
通信状態問合せ部６３は、表示装置９０の現在の通信状態を問い合せるための機能を備える。即ち、表示装置９０がメディアプレーヤー８０以外の他の装置と通信を確立している場合、メディアプレーヤー８０の制御により表示装置９０を省電力モードに移行させることは適切ではない。そのため、通信状態問合せ部６３は、表示装置９０が現在、他の装置と通信を確立しているか否かを確認するコマンドを、ＨＤＭＩ送信部８４に出力させる（なお、通信状態問合せ部６３を用いた具体的な処理は、「２．第２の実施形態」にて説明する）。
【００２９】
（１−３）表示装置９０の構成：
表示装置９０は、ＨＤＭＩ受信部９１、制御部９２、フロントエンド部９３、バックエンド部９４、スイッチ部９５、ディスプレイ９６、バックライト９７、ＯＳＤ回路９８を備えて構成され、フロントエンド部９３を通じて取得されたデーター、又はＨＤＭＩ受信部９１を通じて供給されたデーターをディスプレイ９６、又は図示しないスピーカーから出力する。
【００３０】
ＨＤＭＩ受信部９１は、メディアプレーヤー８０に実装されるＨＤＭＩ送信部８４との間でＨＤＭＩ規格に準じたデーターの受信を行うためのインタフェ−スであり、映像・音声データーを受信し、制御コマンドを通信する。
【００３１】
フロントエンド部９３は、各種アンテナが受信した放送電波からユーザーがリモコン装置により選局されたチャンネルの変調信号を抽出する選局部や、選局された変調信号からデジタルデーターを抽出する伝送路復号部を備えて構成されている。
【００３２】
スイッチ部９５は、制御部９２による制御により、バックエンド部９４を、ＨＤＭＩ受信部９１又はフロントエンド部９３のいずれかに接続させる機能を備える。そのため、接続が確立されたＨＤＭＩ受信部９１又はフロントエンド部９３を通じて供給されたデーターはバックエンド部９４に出力される。
【００３３】
バックエンド部９４は、入力されたデジタルデーターのスクランブルを解除するデスクランブル部や、スクランブルを解除されたデジタルデーターからＭＰＥＧ形式の映像・音声信号、及びＴＳ信号を取り出すＭＰＥＧ多重分離部、更には、映像・音声信号を復号する映像・音声復号部を備えて構成されている。
【００３４】
ＯＳＤ回路９８は、メディア制御部８１から出力される映像データーにＯＳＤ画像を合成して出力させる。ＯＳＤ回路９８が出力させるＯＳＤ画像としては、メディアプレーヤー８０の各種設定を選択するためのメニュー画面、及びメディア再生時における、ディスクメニュー等が含まれる。さらに、ＯＳＤ回路９８は、省電力モード時にバックライトの発光輝度を抑制させるための黒ベタ画像を出力する。
【００３５】
制御部９２は、入力される制御コマンド、及びＨＤＭＩ受信部９１を介してメディアプレーヤー８０から送信された制御コマンドにより、表示装置９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。
【００３６】
また、制御部９２は、省電力モード移行処理時及び通常モード復帰処理時において、ＲＯＭに記録されたプログラムによりコマンド解析部５０、モード移行実行部５１、通信状態検出部５２の機能を実現する。
【００３７】
コマンド解析部５０は、ＨＤＭＩ受信部９１を通じて受信された制御コマンドを解析する機能を備えている。そのため、省電力モードに移行するための制御コマンドを受信した場合、この制御コマンドを解析し省電力モードに移行するための命令を出力する。
【００３８】
モード移行実行部５１は、コマンド解析部５０が出力した上記省電力モードに移行するための命令に応じて、表示装置９０を省電力モードに移行させる機能を備える。ここで、モード移行実行部５１が実行する省電力モードは、所定期間、画面に黒ベタ画像を表示させてバックライトの発光輝度を低下させた後、電力消費量が少ない待機モードに移行させるものである。表示装置９０がメディアプレーヤー８０の制御により省電力モードに移行する際、場合によっては他の装置と通信を確立している場合も想定される。そのため、上記のように構成することで、所定期間は、通信に影響を与えない画面の輝度を低下させた後、各部の駆動を停止させて消費電力を少なくする待機モードに移行させることで、他の装置との通信に与える影響を少なくすることができる。
そのため、モード移行実行部５１により、本発明の設定制御手段が実現される。
【００３９】
通信状態検出部５２は、メディアプレーヤー８０から出力された他の装置との通信状態を検出し、この状態を示すフラグ値を保持する。そのため、第１の実施形態では、モード移行実行部５１は、上記フラグを参照して、表示装置９０を省電力モードに移行させるか否かを切換える。
【００４０】
（１−４）省電力モード移行処理について：
図４は、省電力モード移行処理の流れを説明するためのフローチャートである。なお、図４−Ａは、メディアプレーヤー側の処理を示し、図４−Ｂはディスプレイ側の処理を示す。
【００４１】
一定期間、信号の入・出力がない等の状態を移行条件検出部６０が検出すると、ステップＳ１では、移行条件検出部６０は省電力モード移行処理を開始させる。即ち、移行条件検出部６０は、モード移行制御部６１及びコマンド送信命令部６２に移行条件を検出した旨の信号を出力する。
【００４２】
ステップＳ２では、コマンド送信命令部６２は、ＨＤＭＩ送信部８４を通じて、表示装置９０に省電力モードに移行する旨を示す制御コマンドを送信する。
【００４３】
ステップＳ３では、モード移行制御部６１は、電源回路を制御し、メディアプレーヤー８０を省電力モードに移行させる。
【００４４】
ステップＳ１１において、コマンド解析部５０が送信された制御コマンドを受信し、この制御コマンドが省電力モードに移行することを示すものである場合は、ステップＳ１２において、モード移行実行部５１は、通信状態検出部５２が保持するフラグを参照し、表示装置９０が他の装置と現在通信を行っているか否かを判断する。
【００４５】
表示装置９０が他の装置と通信を確立している場合は（ステップＳ１３：ＮＯ）、モード移行実行部５１は、表示装置９０を省電力モードに移行させない。また、このとき、モード移行実行部５１は、通信状態検出部５２によるフラグ値が変化するまで待機し、通信が終了した旨を示す値にフラグ値が変更した場合に、表示装置９０を省電力モードに移行させてもよい。
【００４６】
一方、表示装置９０が他の装置と通信を確立していない場合は（ステップＳ１３：ＹＥＳ）、モード移行実行部５１は、表示装置９０を省電力モードに移行させる。そのため、ステップＳ１４では、まず、制御部９２は、バックライト９７の発光輝度一定値より下げるよう制御するとともに、ＯＳＤ回路９８に黒色画面を示すＯＳＤ画像をバックエンド部９４に出力させる。そのため、表示装置９０のディスプレイ９６には黒色のベタ画像が表示される。
【００４７】
さらに、一定期間が経過すると（ステップＳ１５：ＹＥＳ）、ステップＳ１６では、モード移行実行部５１は、電源回路に対して特定部位の電力の供給を停止させ、表示装置９０を待機モードに移行させる。以上、省電力モード移行処理を説明した。
【００４８】
（１−５）通常モード復帰処理について：
図５は、通常モード復帰処理を説明するフローチャートである。なお、図５ーＡは、メディアプレーヤー８０での処理を示し、図５−Ｂは、表示装置９０の処理を示す。
【００４９】
移行条件検出部６０が省電力モードを解除する操作入力、又は信号の入力を検出すると、ステップＳ２１では、移行条件検出部６０は通常モード復帰処理を開始させる。即ち、移行条件検出部６０は、モード移行制御部６１及びコマンド送信命令部６２に移行条件を検出した旨の信号を出力する。
【００５０】
ステップＳ２２では、モード移行制御部６１は、電源回路を制御しメディアプレーヤー８０の省電力モードを解除する。
【００５１】
ステップＳ２３では、コマンド送信命令部６２は、ＨＤＭＩ送信部８４を通じて、表示装置９０に通常モードに復帰する旨を示す制御コマンドを送信する。
【００５２】
ステップＳ２４において、コマンド解析部５０が送信された制御コマンドを受信し、この制御コマンドが通常モードに復帰することを示すものである場合は、ステップＳ２５において、モード移行実行部５１は、表示装置９０の省電力モードを解除する。そのため、電源回路は表示装置９０の各部に対して電力を供給し、表示装置９０は通常モードに復帰する。以上、通常モード復帰処理を説明した。
【００５３】
上記説明したように、通信システム１００では、メディアプレーヤー（ソース装置）８０は、省電力モードに移行する場合に、ＨＤＭＩ規格の通信を通じて、表示装置（リンク装置）９０を省電力モードに移行させる命令を送信する。また、表示装置９０は、この命令を受信すると、設定制御手段が同リンク装置を省電力モードに移行させる。そのため、ソース装置が省電力モードに移行した場合に、リンク装置を省電力モードに移行させることが可能となる。
【００５４】
（２）第２の実施形態：
省電力モード移行処理において、メディアプレーヤー８０が表示装置９０が他の装置との通信の確立の有無を判断する構成としてもよい。図６は、第２の実施形態にかかる省電力モード移行処理の流れを説明するためのフローチャートである。なお、図６−Ａは、メディアプレーヤー側の処理を示し、図６−Ｂはディスプレイ側の処理を示す。
【００５５】
一定期間信号の入・出力がない等の状態を移行条件検出部６０が検出すると、ステップＳ３１では、移行条件検出部６０は省電力モード移行処理を開始させるために、モード移行制御部６１及びコマンド送信命令部６２に移行条件を検出した旨の信号を出力する。
【００５６】
ステップＳ３２では、接続問い合わせ部６３は、表示装置９０の他の装置との通信状態を問い合せる旨の制御コマンドをＨＤＭＩ送信部８４を通じて送信する。そのため、表示装置９０では、コマンド解析部５０が、通信状態を問い合せる旨の制御コマンドを受信すると（ステップＳ４１）、ステップＳ４２では、モード移行実行部５１は、通信状態検出部５２が保持するフラグを参照し、このフラグに応じた返信コマンドを送信する。
【００５７】
ステップＳ３３において、通信状態問合せ部６３がＨＤＭＩ送信部８４を通じて表示装置９０からの返信コマンドを受信し、この返信コマンドにより表示装置９０が他の装置と通信を確立させていると判断した場合は（ステップＳ３３：ＮＯ）、通信状態問合せ部６３は、コマンド送信命令部６２に対して表示装置９０を省電力モードに移行させる制御コマンドの送信を命令しない。そのため、コマンド送信命令部６２は、ＨＤＭＩ送信部８４に制御コマンドを送信する旨の命令を行わない。
【００５８】
一方、ステップＳ３３において、通信状態問合せ部６３がＨＤＭＩ送信部８４を通じて表示装置９０からの返信を受信し、この返信により表示装置９０が他の装置と通信を確立していないと判断した場合は（ステップＳ３３：ＹＥＳ）、ステップＳ３４において、通信状態問合せ部６３は、コマンド送信命令部６２に対して表示装置９０に省電力モードに移行する旨の制御コマンドを送信するよう命令する。そのため、コマンド送信命令部６２は、ＨＤＭＩ送信部８４に制御コマンドを送信する旨の命令を行い、省電力モードに移行する旨の制御コマンドが表示装置９０に送信される。
【００５９】
その後、ステップＳ３５において、モード移行制御部６１は、メディアプレーヤー８０を省電力モードに移行させる。
【００６０】
図６−ＢのステップＳ４３では、コマンド解析部５０は、所定時間、省電力モードに移行する旨の制御コマンドが送信されるか否かを監視しており、制御コマンドが入力しないか、所定時間が経過した場合は（ステップＳ４３：ＮＯ）、表示装置９０を省電力モードに移行させない。
【００６１】
一方、ステップＳ４３において、コマンド解析部５０が、所定時間の内に省電力モードに移行する旨の制御コマンドを受信した場合は（ステップＳ４３：ＹＥＳ）、モード移行制御部６１は、第１の実施形態と同様の手法により表示装置９０を省電力モードに移行させる（ステップＳ４４〜Ｓ４６）。
以上、第２の実施形態にかかる省電力モード移行処理を説明した。
【００６２】
（３）その他の実施形態：
通信システム１００を構成するソース装置とリンク装置とを、メディアプレーヤーと表示装置とで構成することは一例であり、他の装置により構成するものであってもよい。
【００６３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６４】
５０…コマンド解析部、５１…モード移行実行部、５２…通信状態検出部、６０…移行条件検出部、６１…モード移行制御部、６２…コマンド送信命令部、６３…通信状態問合せ部、７０…ケーブル、８０…メディアプレーヤー、８１…メディア制御部、８２…システムコントローラー、８３…ＯＳＤ回路、８４…ＨＤＭＩ送信部、８５…操作入力Ｉ／Ｆ、９０…表示装置、９１…ＨＤＭＩ受信部、９２…制御部、９３…フロントエンド部、９４…バックエンド部、９５…スイッチ部、９６…ディスプレイ、９７…バックライト、９８…ＯＳＤ回路、１００…通信システム
【図１】
0005458929.tif 000002
【図２】
0005458929.tif 000003
【図３】
0005458929.tif 000004
【図４】
0005458929.tif 000005
【図５】
0005458929.tif 000006
【図６】
0005458929.tif 000007